(57)【要約】【課題】特に夜間の就寝時や起床前に負担感なく体温測定・体温管理を行なうことができる耳挿入式の体温測定用装置の提供。【解決手段】本発明の、耳挿入式の体温測定用装置は、温度測定部を有するＩＣタグを含む外耳道への挿入部材と、測定部により測定された体温情報を読取る読み取り部と、を備えたことを特徴とする。また、所定時間の前記体温データと、予め得られている平常時の体温データとを比較して被検者の状態を判断する判断手段をさらに備えることを特徴とする。【選択図】図１
2007135866.tif 000002
【特許請求の範囲】
【請求項１】
耳挿入式の体温測定用装置であって、
温度測定部を有するＩＣタグを含む外耳道への挿入部材と、
前記測定部により測定された体温情報を読取る読み取り部と、を備えたことを特徴とする体温測定装置。
【請求項２】
所定時間の前記体温データと、予め得られている平常時の体温データとを比較して被検者の状態を判断する判断手段をさらに備えることを特徴とする請求項１記載の体温測定装置。
【請求項３】
判断手段により判断された情報を音声，アラームまたは表示することを特徴とする請求項１記載の体温測定装置。
【請求項４】
判断手段により判断された情報を情報通信ネットワークを介して、医療サイトに送信可能とすることを特徴とする請求項１記載の体温測定装置。
【請求項５】
被検者の外耳道に挿入された体温測定手段から前記被検者の体温情報を取得する工程のプログラムを記憶したコンピュータで読取り可能な記憶媒体であって、
前記被検者の外耳道に挿入され、温度測定部を有するＩＣタグの温度情報を読取る工程のプログラムと、前記ＩＣタグから読取られた体温情報と予め得られている閾値と比較する工程のプログラムと、異常と判断した場合にアラームを発生する工程のプログラムを記憶したコンピュータで読取り可能な記憶媒体。
【請求項６】
被検者の体表面の適所に貼りつけて体温測定する体温測定用装置であって、
温度測定部を有するＩＣタグと、該ＩＣタグの該表面を断熱して囲包する囲包部材と、該体表面への貼付けるための貼付部材と、
前記測定部により測定された体温情報を読取る読み取り部と、を備えたことを特徴とする体温測定装置。
【請求項７】
所定時間の前記体温データと、予め得られている平常時の体温データとを比較して被検者の状態を判断する判断手段をさらに備えることを特徴とする請求項６記載の体温測定装置。
【請求項８】
判断手段により判断された情報を音声，アラームまたは表示することを特徴とする請求項６記載の体温測定装置。
【請求項９】
判断手段により判断された情報を情報通信ネットワークを介して、医療サイトに送信可能とすることを特徴とする請求項６記載の体温測定装置。
【請求項１０】
被検者の体表面の適所に貼付けられた体温測定手段から前記被検者の体温情報を取得する工程のプログラムを記憶したコンピュータで読取り可能な記憶媒体であって、
前記被検者の体表面の適所に貼付けられた温度測定部を有するＩＣタグの温度情報を読取る工程のプログラムと、前記ＩＣタグから読取られた体温情報と予め得られている閾値と比較する工程のプログラムと、異常と判断した場合にアラームを発生する工程のプログラムを記憶したコンピュータで読取り可能な記憶媒体。
【発明の詳細な説明】
【技術分野】
【０００１】
本発明は、健常人、婦人、高齢者、加療中の患者などの体温データを測定する体温測定装置に関する。
【背景技術】
【０００２】
インフルエンザなどで急熱を発した場合、腋下体温計または鼓膜体温計で３０〜６０分毎に体温を測定し、３８℃を超えると解熱剤や座薬などを処方し、解熱するようにしている。しかしながら、夜間において、３０〜６０分毎に体温を計測することは大きな負担となる。一過性の発熱か継続性がある発熱かを判断するため、熱の上がり始めは乳幼児・小児の場合は、５〜１０分毎に測定するのが望ましいが、実際に測定すること自体非常に困難なものである。
【０００３】
また、婦人体温の管理（基礎体温の管理）においては、起床前の最も安定（低活性の状態）した時の体温を測定しなければならず、測温部を５分以上も口中の舌下でプローブ部を咥えて測定する必要があり、大きな負担感があった。
【０００４】
耳内で、血圧，体温などの生体情報を取得するシステムが提案されているが、信号線、エア配管などを備える必要がある（特許文献１）。このため、夜間、起床前の温度測定が煩わしいという問題があった。また、温度センサと一体化されたＩＣタグにより、軸受の異常検査システムが提案されている（特許文献２）ものの、ペットの体温データを監視するシステムは未だ提案されていない。
【特許文献１】ＷＯ２００５／０３４７４２号パンフレット
【特許文献２】特開２００５−３２２５６号公報
【発明の開示】
【発明が解決しようとする課題】
【０００５】
本発明の目的は、特に夜間の就寝時や起床前に負担感なく体温測定・体温管理を行なうことができ、婦人体温計として用いる場合、測温部を５分以上も口中咥えて測定する必要がない、負担感の少ない耳挿入式の体温測定用装置を提供することにある。
【課題を解決するための手段】
【０００６】
上記課題を解決するために、本発明の耳挿入式の体温測定用装置は、温度測定部を有するＩＣタグを含む外耳道への挿入部材と、測定部により測定された体温情報を読取る読み取り部からなる。また、所定時間の体温データと、予め得られている平常時の体温データとを比較して被検者の状態を判断する判断手段をさらに備えることを特徴とする。また、判断手段により判断された情報を音声，アラームまたは表示することを特徴とする。また、判断手段により判断された情報を情報通信ネットワークを介して、医療サイトに送信可能とすることを特徴とする。また、本発明のコンピュータで読取り可能な記憶媒体は、被検者の外耳道に挿入された体温測定手段から被検者の体温情報を取得する工程のプログラムを記憶したコンピュータで読取り可能な記憶媒体であって、被検者の外耳道に挿入され、温度測定部を有するＩＣタグの温度情報を読取る工程のプログラムと、ＩＣタグから読取られた体温情報と予め得られている閾値と比較する工程のプログラムと、異常と判断した場合にアラームを発生する工程のプログラムを記憶したものである。また、本発明の被検者の体表面の適所に貼りつけて体温測定する体温測定用装置は、被検者の体表面の適所に貼りつけて体温測定する体温測定用装置であって、温度測定部を有するＩＣタグと、ＩＣタグの該表面を断熱して囲包する囲包部材と、体表面への貼付けるための貼付部材と、測定部により測定された体温情報を読取る読み取り部と、を備えたことを特徴とする。また、所定時間の体温データと、予め得られている平常時の体温データとを比較して被検者の状態を判断する判断手段をさらに備えることを特徴とする。また、判断手段により判断された情報を音声，アラームまたは表示することを特徴とする。また、判断手段により判断された情報を情報通信ネットワークを介して、医療サイトに送信可能とすることを特徴とする。また、本発明のコンピュータで読取り可能な記憶媒体は、被検者の体表面の適所に貼付けられた体温測定手段から前記被検者の体温情報を取得する工程のプログラムを記憶したコンピュータで読取り可能な記憶媒体であって、被検者の体表面の適所に貼付けられた温度測定部を有するＩＣタグの温度情報を読取る工程のプログラムと、ＩＣタグから読取られた体温情報と予め得られている閾値と比較する工程のプログラムと、異常と判断した場合にアラームを発生する工程のプログラムを記憶したものである。
【発明の効果】
【０００７】
本発明の体温測定装置によれば、特に夜間の就寝時や起床前に負担感なく体温測定・体温管理を行なうことができ、婦人体温計として用いる場合、測温部を５分以上も口中咥えて測定する必要がない、耳挿入式の体温測定用装置が得られる。
【発明を実施するための最良の形態】
【０００８】
以下、本発明の体温測定用装置を実施例に基づいて説明する。図１は、本発明の一実施例を示すプロック図と装着状態を示す図である。なお、本発明は、実施例に限定されるものではない。
【０００９】
図１において、１は温度測定部（温度センサ）１０６を有するＩＣタグ１００を備えた耳栓状の外耳道への挿入部材、２はラテックス，合成ゴム，弾性を有する合成樹脂などからなる保持部、３は被検者Ｐの外耳道、４は被検者Ｐの外耳、５は被検者Ｐの耳介である。耳栓状の挿入部材１は、保護カバー(不図示)で液密に形成され、高圧蒸気滅菌やアルコール等の薬剤による滅菌も可能となっている。また、３００は、被検者Ｐの体表面の適所に貼付けるタイプの温度測定部３００の断面の概略図である。３００ａは発泡性断熱部材などで形成され、ＩＣタグ１００を囲包部材、３００ｂは貼付け部材である。
【００１０】
体温度測定部を有するＩＣタグ１の温度測定部は、保護カバー(不図示)を介して、被検者Ｐの外耳道と接触している。なお、保持部２は、種々の大きさの中から最適なものを選択できるようにしてもよい。１０は、ＲＯＭ１６，ＲＡＭ１７などに記憶されたコンピュータ読み取り可能なプログラム、所定の条件などに基づいて所定の処理フローを実行する制御部（ＣＰＵ）である。１１は表示部、１２は外部通信部、１３はＩＣタグ（ＩＦＩＤ）読取り部、１４は入力部、１５は記憶部である。外部通信部１２は、インターネート，専用ＬＡＮなどの外部通信ネットワーク（不図示）などを介して体温情報等を送信受信できるようになっている。
【００１１】
被験者Ｐ（健常人、婦人、老人、乳幼児等）Ｐは、図１に示すように耳栓状の挿入部材１００を外耳道３に挿入して測定する。測定は、就寝中、起床前等いつでも測定可能（間歇測定）である。端末装置５０は、制御部（ＣＰＵ）１０、表示部１１、外部通信部１２、ＩＣタグ読取り部、１４は入力部、１５は記憶部である。端末装置５０は、据置き型に限らず、携帯電話のようなもの、携帯型パーソナルコンピュータ等のようなものであってもよい。端末装置５０と管理サイト／医療サイトや会員制のサービスサイト（不図示）とは、外部通信部１２、情報通信ネットワーク（不図示）を介して、相互に情報が伝送できるようになっている。
【００１２】
また、入力部１４は、投薬（処方）情報、婦人が使用する場合にあっては月経などの生理情報も入力可能なっている。ＩＣタグ読み取り部１３は、５〜６０分毎に間歇的に１３．５６ＭＨｚの電磁波を発生させて、体温情報を読取る。制御部１０は取得した体温データの演算処理を行い、被験者Ｐの状態を監視・判断する。体温データの演算処理には、被験者Ｐの平常時の生体データとのパターン比較などが含まれる。
【００１３】
解析時間（所定時間）は１０分間でなく、任意の時間に設定できる。解析時間は１就寝分のデータ解析に都合のよい時間でよく、また、１就寝分でなく、所定の就寝時間内を設定することもできる。システムの規模、解析速度等により最適な条件とする。
【００１４】
判断手段は、例えば、被験者Ｐの健康状態を次のような判断基準に基づき判定する。体温が予め設定していた健康とされる数値範囲内であれば、健康（異常なし）である。但し、婦人の体温の判断は、高温相、低温相の２相があるので別の判断を行う。所定の数値範囲以外にある時は、音声，アラーム，表示などで報知する。
【００１５】
＜ＩＣタグの構成＞  
図２において、１０１は、ＩＣタグ読み取り部１３からの信号を受け、ロジック部１１０を所定のフローで動作させるプログラムが記憶され、コンピュータで読取り可能な記憶媒体であるＲＡＭである。１０２はＥＥＰＲＯＭで、温度センサ１０６のそれぞれに対応するオフセット値，温度補正値などが記憶されている。また、測定された体温情報、被検者Ｐの情報等も記憶可能である。なお、ロジック部１１０は、より複雑な処理フローの制御が可能なＣＰＵとしてもよい。
【００１６】
温度センサ１０６としては、温度変化に対してほぼリニアにアナログ出力し、小型化・ＩＣタグとの一体化が可能で、３２〜４２℃の間で温度分解能が０．１〜０．０５℃である、半導体型の温度センサ、例えばＣ−ＭＯＳ温度センサが好ましく用いられるが、サーミスタ型、サーモパイル（熱電対）型でも可能である。なお、婦人用体温計として用いる場合、３５〜３８℃の間で温度分解能が０．０５℃である、半導体型の温度センサ、例えばＣ−ＭＯＳ温度センサが好ましく用いられるが、サーミスタ型、サーモパイル（熱電対）型でも可能である。１０３は、被検者Ｐに設けられた温度測定部を有するＩＣタグ（ＲＦＩＤ）１００の体温情報を取得するための送受信回路、１０３ａはアンテナ、１０４は電源部である。この電源部１０４は、コイルを有するアンテナ部１０３ａを介して、体温情報を読取られる時に温度測定部を有するＩＣタグ１００の各部に電源を供給する。１０７はＡ／Ｄ変換部であり、温度センサ１０６と発振回路（不図示）で発生した体温信号をＡ／Ｄ変換するものである。
【００１７】
ＩＣタグ１００は、アンテナ１０３ａを含めて５ｍｍ×５ｍｍ、厚さ１．５ｍｍ程度の大きさである。なお、ＩＣタグ１００は、生体を通過可能な周波数の電磁波での通信（送受信）可能なものであれば、どのような周波数でもよいが、好ましくは１３．５６ＭＨｚの電磁波で送信可能になっている。また、間違った被検者Ｐの情報を取得しないようにしたり、アンテナ１０３ａから出力される信号を暗号化処理可能にしてセキュリティ機能を持たせることができる。
【００１８】
＜体温情報取得の処理フロー＞
被検者Ｐの外耳道に挿入部材１が挿入されている状態で、端末装置５０の入力部１４などで測定開始指示入力を行なうことにより、測定を開始する。体温情報は、入力部１４で予めで設定入力された測定間隔の条件、例えば１０〜６０分毎に、ＩＣタグ１００にＩＣタグ読取り部１３から１３．５６ＭＨｚの電磁波を送信（送受信距離は、１０ｃｍ〜１ｍ程度）し、その信号と同期して得られる温度センサ１０６の体温情報を読取る（ステップＳ１）。これらの体温情報は、記憶部１５に記憶される(ステップＳ２)。この体温情報は閾値と比較される(ステップＳ３)。例えば、体温の場合、ディフォルト値として上限値が３７．０℃、下限値が３５．５℃としている。この上限値、下限値は被検者Ｐに応じて、設定変更可能としてもよい。体温情報が異常（測定中の異常も含む）と判断されると、アラームを発生させる（ステップＳ４）。測定終了するとブザー，バイブレータ，光などで報知する（ステップＳ５）。異常がある場合、リセットする(ステップＳ６)。測定終了する旨の指示入力を入力部１４で行なうと測定終了するが、測定終了の指示入力しない場合は、ステップＳ１に戻る。異常が無い場合は、ステップＳ１に戻り、測定終了の指示入力があるまで体温情報の測定を繰り返す。体被検者Ｐの表面に貼付けるタイプの場合や婦人体温測定のような起床前の単一測定の場合でも、基本的な処理フロー葉上記と同様である。
なお、ステップＳ３での判断の条件として、所定時間（分）に所定以上の体温上昇率(℃／分)が認められる場合、測定間隔（分）を５〜１０分程度に短くして判断するようにしてもよい。
【００１９】
記憶部１５に記憶された、体温，メモ入力等の情報は、図４に示すように表示部１１にトレンド表示される。表示部１１では、体温を同時に１時間（６０分）毎にトレンド表示しているが、婦人体温の場合は、１日ごとの体温データをメモ入力データと併せて表示するようにしてもよい。
【図面の簡単な説明】
【００２０】
【図１】本発明の一実施例を示すブロック図である。
【図２】本発明の実施例に係る温度測定部を有するＩＣタグのブロック図である。本発明の実施例に係るブロック図である。
【図３】本発明の実施例に係る生体情報の取得処理フローを示す図である。
【図４】本発明の実施例に係る表示例を示す図である。
【符号の説明】
【００２１】
１・・・挿入部材、２・・・保持部、３・・・外耳道、４・・・外耳、５０・・・端末装置、Ｐ・・・被験者、１０・・・ＣＰＵ、１１・・・表示部、５０・・・端末装置、１００・・・ＩＣタグ、１０１・・・ＲＡＭ、１０２・・・ＥＥＰＲＯＭ、１０３・・・送信受信回路、１０３ａ・・・アンテナ、１０６・・・温度センサ  
【図１】
2007135866.tif 000003
【図２】
2007135866.tif 000004
【図３】
2007135866.tif 000005
【図４】
2007135866.tif 000006
【手続補正書】
【提出日】平成18年4月7日(2006.4.7)
【手続補正１】
【補正対象書類名】明細書
【補正対象項目名】００１８
【補正方法】変更
【補正の内容】
【００１８】
＜体温情報取得の処理フロー＞
被検者Ｐの外耳道に挿入部材１が挿入されている状態で、端末装置５０の入力部１４などで測定開始指示入力を行なうことにより、測定を開始する。体温情報は、入力部１４で予めで設定入力された測定間隔の条件、例えば１０〜６０分毎に、ＩＣタグ１００にＩＣタグ読取り部１３から１３．５６ＭＨｚまたは８６０〜９６０ＭＨｚ（ＵＨＦ帯）の電磁波を送信（送受信距離は、１０ｃｍ〜１ｍ程度）し、その信号と同期して得られる温度センサ１０６の体温情報を読取る（ステップＳ１）。これらの体温情報は、記憶部１５に記憶される(ステップＳ２)。この体温情報は閾値と比較される(ステップＳ３)。例えば、体温の場合、ディフォルト値として上限値が３７．０℃、下限値が３５．５℃としている。この上限値、下限値は被検者Ｐに応じて、設定変更可能としてもよい。体温情報が異常（測定中の異常も含む）と判断されると、アラームを発生させる（ステップＳ４）。測定終了するとブザー，バイブレータ，光などで報知する（ステップＳ５）。異常がある場合、リセットする(ステップＳ６)。測定終了する旨の指示入力を入力部１４で行なうと測定終了するが、測定終了の指示入力しない場合は、ステップＳ１に戻る。異常が無い場合は、ステップＳ１に戻り、測定終了の指示入力があるまで体温情報の測定を繰り返す。体被検者Ｐの表面に貼付けるタイプの場合や婦人体温測定のような起床前の単一測定の場合でも、基本的な処理フロー葉上記と同様である。なお、ステップＳ３での判断の条件として、所定時間（分）に所定以上の体温上昇率(℃／分)が認められる場合、測定間隔（分）を５〜１０分程度に短くして判断するようにしてもよい。